【手続補正書】
【提出日】平成19年8月14日(2007.8.14)
【手続補正１】
【補正対象書類名】明細書
【補正対象項目名】全文
【補正方法】変更
【補正の内容】
【書類名】      明細書
【発明の名称】  蝶番蓋付き硬い煙草梱包
【特許請求の範囲】
【請求項１】  実質的に並行パイプ形の蝶番蓋付き硬い煙草梱包であって、
側面（８）と、相互に対向し平行である、該側面（８）を有する平坦な頭部端面と底部端面（９，１０）とを備え、前記側面（８）は、二つの対向する小側面壁（１１）と、二つの対向する大側面壁（１２）とを備えており、
そして、前記梱包（１）は、底部カップ状箱（４）と、前記小側面壁（１１）に実質的に平行な蝶番（７）により前記カップ状箱に蝶着している頭部蓋（６）とを備え、前記側面壁（１１，１２）の少なくとも一つは外側に凸の輪郭を有し、該側面壁の１つが、二つの隣接する前記側面壁（１１，１２）に対してそれぞれ鈍角二面角を形成しており、
さらに、前記梱包は、外側に凸の輪郭を有する前記側面壁（１２，１１）が、それぞれ、中央部（１５）と二つの側面帯部（１６）とを備えており、そして、該側面帯部（１６）は、長手方向軟弱線（１７）により事前に軟弱にされると共に、該側面帯部（１６）は、前記相対的にみた中央部（１５）をそれに対応する隣接する前記側面壁（１１，１２）に連結するために、内部に面した凹部を有するように湾曲しており、さらに、各側面帯部（１６）は、前記関連する側面壁（１１，１２）に対して角ばった端部を形成することを特徴とする蝶番蓋付き硬い煙草梱包。
【請求項２】  前記蝶番（７）が前記頭部端面（９）に位置することを特徴とする請求項１に記載された梱包。
【請求項３】  前記蝶番（７）が前記小側面壁（１１）に位置し、前記蓋（６）が前記頭部端面（９）の全てを備える請求項１に記載された梱包。
【請求項４】  前記蝶番（７）が前記小側面壁（１１）に位置し、前記蓋（６）が前記頭部端面（９）の一部を備える請求項１に記載された梱包。
【請求項５】  請求項１、請求項２又は請求項３に記載された梱包であって、前記二つの大側面壁（１２）の少なくとも一つが、外側に凸の輪郭を有し、二つの隣接する前記小側面壁（１１）に対してそれぞれ鈍角二面角（１４）を形成し、そして、前記大側面壁（１２）は、それぞれ、平坦な中央部（１５）と二つの側面帯部（１６）とを備えており、そして、該側面帯部（１６）は、長手方向軟弱線（１７）により事前に軟弱にされると共に、該側面帯部（１６）は、前記相対的にみた中央部（１５）をそれに対応する隣接する前記側面壁（１１，１２）に連結するために、内部に面した凹部を有するように湾曲し、各側面帯部（１６）は、前記関連する側面壁（１１）に対して角ばった端部１３を形成することを特徴とする梱包。
【請求項６】  請求項１、請求項２又は請求項３に記載された梱包であって、前記二つの大側面壁（１２）の各々が、外側に凸の輪郭を有し、二つの隣接する前記小側面壁（１１）に対してそれぞれ鈍角二面角（１４）を形成し、そして、前記大側面壁（１２）は、それぞれ、平坦な中央部（１５）と二つの側面帯部（１６）とを備えており、そして、該側面帯部（１６）は、長手方向軟弱線（１７）により事前に軟弱にされると共に、該側面帯部（１６）は、前記相対的にみた中央部（１５）をそれに対応する隣接する前記側面壁（１１，１２）に連結するために、内部に面した凹部を有するように湾曲し、各側面帯部（１６）は、前記関連する側面壁（１１）に対して角ばった端部１３を形成することを特徴とする梱包。
【請求項７】  前記各側面帯部（１６）が、関連する前記小側面壁（１１）に対してそれぞれ第１の鈍角二面角（１４）を形成し、関連する中央部に対してそれぞれ第２の鈍角二面角（１４）を形成し、その第２の鈍角二面角（１４）は、前記第１の鈍角二面角（１４）よりも大きいことを特徴とする請求項５又は請求項６に記載された梱包。
【請求項８】  前記端面（９，１０）が、二つの大側面端（１８）を備え、前記各大側面端（１８）は、それぞれ、前記側面帯部（１６）の各々と断面において同様の形状の湾曲した側面部（２０）とを備え、前記側面部（２０）は、前記各側面帯部（１６）の軸線端部に沿って延びて形成されていることを特徴とする請求項１から７までのいずれか一つに記載された梱包。
【請求項９】  前記底部カップ状箱（４）が開放頭部端（５）を有し、前記梱包（１）は前記箱（４）に連結されたカラー（２１）を備え、前記蓋（６）が閉められた位置の時には前記蓋（６）の内側表面と係合するように、前記開放頭部端（５）から部分的に突出していることを特徴とする請求項１から８までのいずれか一つに記載された梱包。
【請求項１０】  請求項１から９までのいずれか一つに記載された梱包であって、実質的に長方形の平面素材紙（２９）から形成される梱包において、
前記素材紙（２９）は、二つの長手方向の事前形成された折れ線（３２，３３）と、多数の横方向折れ線（３６，３７，３８，３９）とを備え、
前記横方向折れ線（３６，３７，３８，３９）は、前記二つの長手方向の事前形成された折れ線（３２，３３）間に、第１の中間パネル（９′）、第１の前面大パネル（１２′）、第２の中間パネル（１０′）、第２の大パネル（１２′′）、及び、第３の中間パネル（９′′）の輪郭を形成し、
前記大パネル（１２′、１２′′）の各々は、平滑な中央部（１５′）、及び長手方向軟弱線（１７）により事前に軟弱化された二つの側面部（１６′）を有することを特徴とする梱包。
【請求項１１】  前記大パネル（１２′、１２′′）の各々は、それぞれ、二つの相対するように配置された長手方向に伸びる側面翼状部（１１′、１１′′）を有することを特徴とする請求項１０に記載された梱包。
【請求項１２】  前記第１の大パネル（１２′）の前記側面翼状部（１１′）が、前記各中間パネル（９′、１０′）の両側に位置する各突起部（４２）を有し、各前記突起部（４２）は、関連する前記中間パネル（９′、１０′）の最低長手寸法以下の最大長手寸法を有し、前記梱包（１）の前記端面（９，１０）の一部を形成するために、関連する前記中間パネル（９′、１０′）上に重ねられることを特徴とする請求項１１に記載された梱包。
【請求項１３】  各前記突起部（４２）が、各前記側面翼状部（１１′）の横寸法以下の横寸法を有することを特徴とする請求項１２に記載された梱包。
【請求項１４】  請求項１１、請求項１２又は請求項１３に記載された梱包であって、前記第１、及び、前記第３の中間パネル（９′、９′′）が、さらにそれぞれ互いに整列された長手方向に事前形成された折れ線（４３）を備え、
前記第１の大パネル（１２′）、及び、前記各側面翼状部（１１′）は、前記長手方向に事前形成された折れ線（４３）の一端から前記側面翼状部（１１′）の外側端まで連続的に延びている第１切断線（４４）を有し、
前記第２の大パネル（１２′′）、及び、前記各側面翼状部（１１′′）を横切って延び、前記長手方向に入れた折れ線（４３）の一端から前記側面翼状部（１１′′）の外側端まで連続的に延びる第２切断線を有することを特徴とする梱包。
【請求項１５】  請求項１１、請求項１２又は請求項１３に記載された梱包であって、前記第１の大パネル（１２′）のうちの一つの側面翼状部（１１′）、及び、前記第２の大パネル（１２′′）のうちの一つの側面翼状部（１１′′）は、互いに長手方向に整列され、さらにそれぞれ横方向に事前形成された折れ線（４３）を備え、
前記第１の大パネル（１２′）、及び、前記第１の中間パネル（９′）は、前記横方向に事前形成された折れ線（４３）のそれぞれの一端から前記第１中間パネル（９′）の外側端まで延びる連続的な第1切断線（４４）を有し、
前記第２の大パネル（１２′′）、及び、前記各側面翼状部（１１′′）を横切って延び、前記横方向に入れた折れ線（４３）の一端から前記第３の中間パネル（９′）の外側端まで延びる連続的な第２切断線を有することを特徴とする梱包。
【発明の詳細な説明】
【０００１】
【発明の属する技術分野】
本発明は蝶番蓋付き硬い煙草梱包に関する。
特に、本発明は、カップ状底部又は箱、及び、蝶番により互いに連結される頭部蓋を具備し、及び事前に軟弱化された厚紙の類の平面素材紙から形作られる。
【０００２】
【従来の技術】
硬い蝶番蓋煙草梱包は、通常は、長方形断面の並行パイプ形であって、前面壁及び後面壁を形成する二つの大側面壁と、二つの小側面壁とを具備し、それぞれの小側面壁は、長手方向の直角端部で両方の前記大側面壁に連結されている。
上記のタイプの硬い梱包は、形が構造的でなく、結果として接触する被服繊維の擦り切れを引き起こすという、いくつかの欠点がある。
【０００３】
さらに、硬い長方形断面の並行パイプ形梱包は小側面壁及び長手方向の直角端部では十分固着しているが、大側面壁ではかなり弱く、透明セロハン（登録商標）の覆い梱包がなされて梱包の回りが縮む（熱があたることにより）ときには、内方向に変形する傾向がある。
【０００４】
透明セロハン（登録商標）覆いにより梱包に対して内向きの力が加わることによって生じる大側面壁の内向き変形は、梱包内部の煙草に対して永久的に圧力をかけることになり、利用者が梱包から最初の煙草を取り出すのを困難にする。さらに、大側面壁の変形及び特に後面壁は、カップ状底部に蓋を繋げている蝶番を変形し、その結果、透明覆いを開けると（通常破って開ける）、利用者が梱包全体の覆いを取外さないと蓋を容易に持ち上げることができなくなってしまう。
【０００５】
上述の弱点は、特許ＥＰ−Ｂ１−０２０４９３３、及び、ＥＰ−Ｂ１−０２０５７６６のそれぞれに記述されているタイプの円形、又は斜傾端梱包により少なくとも部分的には解決されている。円形、又は斜傾端梱包は、ＤＥ−Ａ１−１９６３７２５９でも記述されており、この特許が、一つの端部から延びて、かつ中心から外れた斜めの蝶番付き蓋をもつ硬い煙草梱包に関連し、この蓋は、梱包の側面壁の一部で蝶番付き連結を形成しており、それにより、蝶番付き蓋を梱包の残余の部分と繋げている。
しかし、一般的に言って、円形又は斜傾端梱包の両方とも、正確に製造されるためには、特許ＥＰ−Ｂ１−０２０５８９４、及び、ＥＰ−Ｂ１−０２００８７に記述される特別のタイプの機械を必要とするが、それらはかなり緩慢な作動であり、実際上柔軟性に欠け、例えば、記述されたタイプ以外の梱包を製造するために使用することはできない。
【０００６】
結果として、円形又は斜傾端の梱包の製造は極めて高くつく。
【０００７】
製造が高くつく以外にも、円形端梱包はまたさらに次の弱点がある。蓋をカップ状の箱に正確に近づけることは、二つの一致する円形を形作ることが困難であることから難しい。さらに、梱包の頭部面及び底部面の端において、梱包の外形に対して透明セロハン（登録商標）覆いシートは鋭い端になるために、特に硬く梱包の外側に突出し、及び、不恰好なだけでなく、結果として接触する被服繊維の磨耗を加速する。
【０００８】
【発明が解決しようとする課題】
本発明の課題は、上述の弱点を取り除き、硬く、蝶番蓋の煙草梱包を提供することである。
【０００９】
さらに詳しくいえば、本発明の課題は、以下の特徴をもつ硬い、蝶番蓋付き煙草梱包を提供することである。
覆いで包む段階において、内部の煙草グループに圧力をかけることなく、梱包を開いたときに最初の煙草を障害なく取り出せるようにするものである。
【００１０】
透明な覆いにより包むときに実質的に変形を加えることのないような蝶番を具備するものである。
【００１１】
結果として梱包が接触する被服繊維の急速な磨耗を生じさせないものである。
【００１２】
さらに、容易に、安価で、迅速に製造することが可能で、若干の変更をすることで、梱包機械が長方形断面の並行パイプ形煙草梱包の製造にも使用することができるものである。
【００１３】
本発明に従えば、請求項１に記載されたような蝶番蓋付き硬い煙草梱包が提供される。
【００１４】
【発明の実施の態様】
図１、図２、及び図３の番号１は、全体として、梱包ハウジングを示し、そこには三列に配置された煙草３のグループが収容されており、中間列には二つの外側の列より１本少なく配置されている。
【００１５】
梱包１は、開放頭部端５をもつ底部カップ状箱４、開いた位置（図２）及び閉じた開放頭部端５の閉じた位置（図１）間で、箱４に関して回転する蝶番７に沿って箱４に蝶番を介して繋がるカップ状頭部蓋６を具備する。
【００１６】
蓋６が閉じているときは、梱包１は側面８により輪郭付けられていて実質的に長方形並行パイプ形をしていて、平面で同一形の頭部及び底部端面９及び１０は、互いに対向して並行で、側面８を輪郭付ける。
【００１７】
側面８は、二つの対向する平坦で平行な小側面壁１１、及び二つの対向する大側面壁１２を具備し、それぞれの大側面壁１２は、外側に凸状で、端面９及び１０に垂直なそれぞれの角ばった端部１３に沿って二つの小側面壁１１に連結している。
【００１８】
各大側面壁１２は、実質的に長方形で、平坦な中央部１５と二つの側面帯部１６とを具備しており、該側面帯部１６は、中央部１５の両側に位置しており、中央部分１５と端部１３との間に位置している。各側面帯部１６は、長手方向軟弱線１７により内部的に軟弱化されていて、外側に曲線を描き、中央部１５を各小側面壁１１に連結させ、小側面壁１１と共にそれぞれの角ばった端部１３及びそれぞれの鈍角二面角１４を形成する。
【００１９】
各端面９，１０は、二つの大側面端１８を有し、各々がそれぞれの大側面壁１２の輪郭を形作り、大側面壁１２の中央部１５に対応した実質的に直線の中央部１９、及び大側面壁１２の側面帯部に対応した二つの曲線側面部２０（従って断面において、それぞれの側面帯部１６と同一形になる）を具備する。
【００２０】
図３に明示してある通り、大側面壁１２の中央部間の距離は、従って大側面壁１２の端部１３間の距離より大きくなる。
【００２１】
さらに図示していないもう一つの実施態様では、一つの大側面壁１２のみが外側に凸状になり、二つの小側面壁１１と共にそれぞれ実質的に鈍角二面角１４を形作り、一方、他の大側面壁１２は平面で、二つの小側面壁１１と共に直角を形作る。
【００２２】
さらに図示していないもう一つの実施態様では、大側面壁１２は平面で、各小側面壁１１は外側に凸状でそれぞれ二つの大側面壁１２と共に実質的に鈍角二面角を形作る。
【００２３】
図１及び図２に示すように、蓋６の蝶番７は、頭部端面９の上に位置し、大側面壁１２の中央部１５に直角であり、小側面壁１１に平行である。蓋６は、梱包１の頭部の側面部に作用を及ぼし、蓋６は、頭部端面９、小側面壁１１の頭部、及び大側面壁１２の二つの実質的な三角部を具備している。
【００２４】
梱包１はまた、Ｕ字型に折りたたんだカラー（襟状体）２１を具備し、カップ状箱４の内部に連結（接着）されていて、部分的に開放頭部端５の外側に突出し、（図１に示されるように）前記閉じたポジションでは蓋６の内部の対応面に嵌められる。カラー２１は、それぞれの小側面壁１１の内部に平行でかつ連結された前面２２、及びそれぞれの大側面壁１２に各々平行で連結されている二つの側面壁２３を具備する。さらに詳しくは、カラー２１の各側面壁２３は、それぞれの大側面壁１２の平面中央部１５の内部面に連結された平面部２４、及び部分２４を壁２２に連結するために、それぞれの大側面壁１２の側面帯部の内面と同形で接触して延長している曲線部２５を具備する。
【００２５】
各曲線部２５は、長手方向軟弱線２６により内部は軟弱化され、側面帯部１６の長手方向軟弱線１７と一致していて、側面帯部１６のように外側に曲線をなし、及び各曲線部２５は、長手方向隙間２７を有し、よく知られたブレーキタブ（係止片）２８を構成して、蓋６の内部面と連係して与えられた力により閉じたポジションで蓋６を保持する。
【００２６】
図９及び図１０に示すさらなるもう一つの実施態様では、各大側面壁１２は、大側面壁１２全体にわたり連続的に曲線を描く外側に凸状の形である。すなわち、各大側面壁１２は一つの曲面を形成しており、図２，図５及び図７の実施態様のような平面中央部及び二つの側面帯部とは対比をなしている。
【００２７】
図４に示すように、図１及び図２の梱包１は、平面素材紙２９から形作られ、実質的に細長く伸びた長方形の形をしており、上付き文字とともに、どこも梱包１の対応部材と同じ数字が用いられている。
【００２８】
素材紙２９は、中央長手方向軸３０、中央横軸３１（軸３０に対して垂直）、及び素材紙２９を中央長手方向細長片３４に分割する二つの事前に形作られた長手方向折れ線３２及び３３、及び二つの側面長手方向細長片３５を具備する。細長片３４及び３５は、多数の事前に形作られた横方向折れ線３６、３７、３８及び３９が横切り、これら折れ線は、中央細長片を素材紙２９及び線３６間に延びるパネル９′、線３６及び３７間に延びるパネル１２′、線３７及び３８間に延びるパネル１０′、線３８及び３９間に延び、パネル１２′と一致するパネル１２′′、及び、線３９及び素材紙２９の外側端間に延び、パネル９′と一致するパネル９′′に分割する。
【００２９】
各パネル１２′、１２′′は、平面中央部１５′、及び中央部１５′の各側に位置する二つの長手方向側面帯部１６′、及び各々は長手方向軟弱線１７により事前に軟弱化された内部４０（すなわち中央部１５′に連結する）、及びそれぞれの事前に形作られた折れ線３２，３３に沿って延びた平滑な外部４１を具備する。
【００３０】
各パネル１２′、１２′′は、二つの長手方向側面翼状部１１′、１１′′を有し、該長手方向側面翼状部は、パネル１２′、１２′′の各側のそれぞれの長手方向側面細長片３５上に位置し、それぞれの長手方向線３２及び３３によりパネル１２′、１２′′により分離している。パネル１２′の各翼状部１１′は、翼状部１１′に関し反対端に位置する二つの長方形長手方向突起４２を有し、二つの翼状部１１′の突起は、パネル９′及びパネル１０′の両側に一対となって横に整列される。
【００３１】
各突起４２は、相対的中間パネル９′又は１０′の最小長手寸法より小さい長手寸法（あるいは、より一般的には大きくない）、及び、それぞれ側面翼状部１１′の横寸法より小さい（あるいは、より一般的には大きくない）横寸法を有する。
【００３２】
梱包１の形成中において、パネル９′及びパネル９′′は、梱包１の頭部端面９の輪郭を形作るために重畳され接合されていて、各側面翼状部１１′及び対応する側面翼状部１１′′梱包１のそれぞれの小側面壁１１の輪郭を形作るために重畳され接合されていて、及び各突起４２は、それぞれの側面翼状部１１′に対して四角に折りたたまれ、梱包１のそれぞれの端壁９又は１０の内部を形成するためにそれぞれパネル９′又は１０′に重畳され接合されている。
【００３３】
各パネル９′、９′′は、さらに使用中に蓋６の蝶番７を形成する事前に形作られた長手方向折れ線４３を具備する。底部カップ状箱４を頭部蓋６から分離する開放頭部端５を輪郭付けるために、素材紙２９は、二つの切断線４４（図４に点線で示される）、二つの長手方向事前形成折れ線４３を具備し、二つの切断線４４は、素材紙２９の横軸３１に関して左右対称で、二つの事前形成長手方向折れ線４３は互いに長手方向に整列されている。
【００３４】
一般に、素材紙２９は、梱包１が形作られる前に、頭部蓋６から底部カップ状箱から分離するために切断線４４に沿って切られ、あるいは、素材紙２９は、梱包１が形作られる前に、切断線４４に沿って一部連結した切断で軟弱化が図られ、頭部蓋６は、最初に梱包１を開けたときに利用者により底部カップ状箱から取外される。
【００３５】
図４に示すように、第１切断線４４はパネル１２′及びそれぞれの側面翼状部１１′をそれぞれの事前形成折れ線４３の一つの端から側面翼状部１１′の外側の端まで横切って延び、第２切断線４４は、パネル１２′′及びそれぞれの側面翼状部１１′′をそれぞれの事前形成折れ線４３の一つの端から側面翼状部１１′′の外側の端まで横切って延びている。各切断線４４は、長手方向軸３０及び横軸３１の両方に関して、スロープを描くような方向でパネル１２′、１２′′を横切り、及び長手方向軸３０に垂直及び横軸３１に平行な方向でそれぞれの側面翼状部１１′、１１′′を横切っている。
【００３６】
図４はまた、連続線で示すように平らにした形態において、素材紙の最終位置において、点線で示すようにカラー２１を示している。一般に、カラー２１は、使用中には、煙草３のグループ２の回りにＵ字型に折り込まれていて、素材紙２９がグループ２の回りに折られたときには、素材紙２９と接触している。
【００３７】
平面素材紙２９から梱包１を形作る一つの方法を次に述べる。
【００３８】
望ましくは、素材紙２９はいまだ平面の時に、周知の方法で少なくとも部分的にゴムが塗られる。Ｕ字型に折りこまれているカラー２１と共にすでに提供されている煙草３のグループ２は、パネル１２′に対応した素材紙２９の内面に位置し、突起４２はそれぞれ側面翼状部１１′について四角に折り込まれ、つぎにパネル１２′についてグループ２上に四角に折り込まれ、パネル１２′、１２′′及び１０′はグループ２のまわりにＵ字型に折り込まれ、パネル９′及び９′′は頭部端面９を輪郭を形作るために他の頭部上に一つが折り込まれ、最後に、翼状部１１′′は梱包１を完成するためにパネル１２′′について翼状部１１′上に四角に折り込まれる。
【００３９】
図５に示す更なる実施態様では、蓋６の蝶番７は、小側面壁１１上に位置し、大側面壁１２の中央部１５に対し垂直で小側面壁１１に平行になり、蓋６は梱包１の頭部全体に作用し、頭部端面９、一つの小側面壁１１の頭部、及び大側面壁１２の二つの実質的に長方形の部分を具備する。
【００４０】
図５の梱包１は、図６の素材紙２９ａ及びカラー２１ａから形作られ、前述した図４の素材紙２９及びカラー２１とは位置及び事前形成折れ線４３及び切断線４４、及びカラー２１ａの寸法に関してだけ異なる。
【００４１】
図６に示すように、互いに長手方向に整列された一つの翼状部１１′及び一つの翼状部１１′′は、使用中に蓋６の蝶番７の輪郭を形作る横方向に事前形成された折れ線４３ａを具備し、第１横切断線４４ａは、パネル１２′及びそれぞれの翼状部１１′をそれぞれ事前形成された折れ線４３ａから側面翼状部１１′の外側端まで延び、及び第２横切断線４４ａは、パネル１２′′及びそれぞれの側面翼状部１１′′をそれぞれの事前形成された折れ線４３ａから側面翼状部１１′′の外側端まで延びる。
【００４２】
図７に示すように、更なるもう一つの実施態様では、蓋６の蝶番７は、小側面壁１１上に位置し、大側面壁１２の中央部１５に垂直で小側面壁１１に平行になり、蓋６は梱包１の頭部の側面部に作用し、頭部端面９、一つの小側面壁１１の頭部、及び大側面壁１２の二つの実質的に三角形の部分を具備する。
【００４３】
図７の梱包１は、図８の素材紙２９ｂ及びカラー２１ｂから形作られ、前述した図４の素材紙２９及びカラー２１とは位置及び事前形成折れ線４３及び切断線４４、及びカラー２１ｂの寸法に関してだけ異なる。
【００４４】
図８に示すように、互いに長手方向に整列された一つの翼状部１１′及び一つの翼状部１１′′は、使用中に蓋６の蝶番７の輪郭を形作る横方向に事前形成された折れ線４３ｂを具備し、第１横切断線４４ｂは、パネル１２′及びパネル９′に沿ってそれぞれ事前形成された折れ線４３ｂからパネル９′′の外側端まで延び、及び第２横切断線４４ｂは、パネル１２′′及びパネル９′′をそれぞれの事前形成された折れ線４３ｂからパネル９′′の外側端まで延びる。各切断線４４ｂは、長手方向軸３０及び横軸３１の両方に関して傾斜をなす方向でそれぞれのパネル１２、１２′′を横切って延び、長手方向軸３０に平行に及び横軸３１に垂直な方向でそれぞれのパネル９′、９′′に沿って延びる。
【００４５】
したがって、蓋６の蝶番７は、（図２及び図９の実施態様のように）頭部端面９上に、あるいは（図５及び図７の実施態様のように）小側面壁１１上に、すなわち平坦な面上のいずれかに位置する。蝶番７が平坦な面上に位置するという事実はとくに有利で、透明な覆いを使用するときに蝶番７は全体としてより強く、実質的に変形をすることがなく、平面板紙素材紙から形作られる曲面壁と異なり、平面壁は実質的に内的圧力を受けることがない。
本発明の無限定で多数の実施態様は、添付図面を参照すると共に、一例を挙げることによって記述される。
【図面の簡単な説明】
【図１】
閉状態における本発明の好ましい梱包の実施態様の前面透視図を表す。
【図２】
図１の開状態における梱包の透視図を表す。
【図３】
図１の梱包を明確化するために部分を取り外した断面図を表す。
【図４】
図１の梱包を形作るための素材紙及び各カラーの平面図を表す。
【図５】
開状態における本発明の好ましい梱包の更なる実施態様の前面透視図を表す。
【図６】
図５の梱包を形作るための素材紙及び各カラーの平面図を表す。
【図７】
開状態における本発明の好ましい梱包の更なる実施態様の前面透視図を表す。
【図８】
図７の梱包を形作るための素材紙及び各カラーの平面図を表す。
【図９】
本発明の好ましい梱包の更なる実施態様の前面透視図を表す。
【図１０】
図９の梱包を形作るための平面図を表す。